【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
アイデンティティ関連情報（ＩＲＩ）を要求エンティティ（５０）に提供するための方法であって、  前記アイデンティティ関連情報（ＩＲＩ）を保有するロケーション・エンティティ（４０）に対応するロケーション情報（ＬＩ）をクライアント・アプリケーション（３０）に要求するために前記要求エンティティ（５０）によって開始されるロケーション要求ステップ（ＩＩ）と、  前記アイデンティティ関連情報（ＩＲＩ）を前記要求エンティティ（５０）に転送するよう前記ロケーション・エンティティ（４０）に命令するために前記クライアント・アプリケーション（３０）を前記ロケーション・エンティティ（４０）に接続するためのリダイレクト・ステップ（ＩＩＩ）と、  前記アイデンティティ関連情報（ＩＲＩ）を取得するための獲得ステップ（ＩＶ）であって、  前記ロケーション・エンティティ（４０）が前記要求エンティティ（５０）にコンタクトするコンタクト・ステップ（ＩＶａ）と、  前記要求エンティティ（５０）が前記アイデンティティ関連情報（ＩＲＩ）を要求する要求ステップ（ＩＶｃ）と、  前記要求エンティティ（５０）が前記アイデンティティ関連情報（ＩＲＩ）を前記ロケーション・エンティティ（４０）から受信する応答ステップ（ＩＶｅ）とを含む獲得ステップ（ＩＶ）とを含む方法。
【請求項２】
前記獲得ステップ（ＩＶ）が、前記ロケーション・エンティティ（４０）を前記クライアント・アプリケーション（３０）を介して前記要求エンティティ（５０）にリダイレクトし、それによって前記アイデンティティ関連情報（ＩＲＩ）を前記要求エンティティ（５０）に送信するリダイレクト・サブステップ（ＩＶｇ）だけを含む、請求項１に記載の方法。
【請求項３】
ＵＲＬ（ユニフォーム・リソース・ロケータ）に入れられる情報の長さに基づいて前記コンタクト・ステップ（ＩＶａ）が実行されるかどうかを決定する決定ステップをさらに含む、請求項１に記載の方法。
【請求項４】
前記要求エンティティ（５０）と前記クライアント・アプリケーション（３０）の間、および前記ロケーション・エンティティ（４０）と前記クライアント・アプリケーション（３０）の間で使用されるトランスポート・プロトコルが、セキュリティ保護されたハイパー・テキスト転送プロトコル（ＨＴＴＰＳ）である、請求項１ないし３のいずれかに記載の方法。
【請求項５】
返される前記ロケーション情報（ＬＩ）が、前記クライアント・アプリケーション（３０）のロケーションに関連する、請求項１ないし４のいずれかに記載の方法。
【請求項６】
前記要求エンティティ（５０）が、偽名を用いている前記ロケーション・エンティティ（４０）から前記アイデンティティ関連情報（ＩＲＩ）を認証と共に受け取るステップをさらに含み、前記アイデンティティ関連情報（ＩＲＩ）は、人（２０）の個人的な偽名に対応に対応する、請求項１ないし５のいずれかに記載の方法。
【請求項７】
前記要求エンティティ（５０）が、前記アイデンティティ関連情報（ＩＲＩ）を使用するためのサーバ・ポリシー（ＰＰｓ）を送信するステップをさらに含む、請求項１ないし６のいずれかに記載の方法。
【請求項８】
ロケーション・エンティティ（４０）上でホストされるアイデンティティ関連情報（ＩＲＩ）を要求エンティティ（５０）に転送するための方法であって、 前記ロケーション・エンティティ（４０）に対応するロケーション情報（ＬＩ）を伝送するために、前記要求エンティティ（５０）に要求されたクライアント・アプリケーション（３０）側において実行する方法であって、  前記アイデンティティ関連情報（ＩＲＩ）を前記要求エンティティ（５０）に転送するための命令情報をクライアント・アプリケーション（３０）から受信するためのリダイレクト・ステップ（ＩＩＩ）と、  前記アイデンティティ関連情報（ＩＲＩ）を前記要求エンティティ（５０）に転送するための転送ステップ（ＩＶ）であって、  前記ロケーション・エンティティ（４０）が前記要求エンティティ（５０）にコンタクトするコンタクト・ステップ（ＩＶａ）と、  前記要求エンティティ（５０）が前記アイデンティティ関連情報（ＩＲＩ）を要求する要求ステップ（ＩＶｃ）と、  前記ロケーション・エンティティ（４０）が前記アイデンティティ関連情報（ＩＲＩ）を前記要求エンティティ（５０）に送信する応答ステップ（ＩＶｅ）とを含む転送ステップ（ＩＶ）とを含む方法。
【請求項９】
前記転送ステップ（ＩＶ）が、前記要求ステップ（ＩＶｃ）で要求された前記アイデンティティ関連情報（ＩＲＩ）のどの部分を転送するかを前記ロケーション・エンティティ（４０）が事前定義されたポリシー（ＰＯ）に基づいて決定するステップをさらに含む、請求項８に記載の方法。
【請求項１０】
前記応答ステップ（ＩＶｅ）が、前記ロケーション・エンティティ（４０）が前記事前定義されたポリシー（ＰＯ）の一部を送信するステップをさらに含む、請求項９に記載の方法。
【請求項１１】
前記ロケーション・エンティティ（４０）が、前記転送ステップ（ＩＶ）中に人（２０）と対話するため、前記リダイレクト・ステップ（ＩＩＩ）において前記クライアント・アプリケーション（３０）から前記ロケーション・エンティティ（４０）へと確立されたコネクションを使用する、請求項８ないし１０のいずれかに記載の方法。
【請求項１２】
個人情報の前記要求エンティティ（５０）への公開が、  前記要求エンティティ（５０）についての情報を提示するステップと、  前記ロケーション・エンティティ（４０）が知っている事前認可された属性値または事前認可されていない属性値あるいはその両方を提示し、または知らない属性値については各属性値を入力するための空フィールドに付された属性名を提示し、あるいはその両方を行うステップと、  前記属性値を編集するよう要求するステップと、  前記編集された属性値を前記要求エンティティ（５０）に送信するステップとを含む、請求項８ないし１１のいずれかに記載の方法。
【請求項１３】
異なる属性値が、異なる仕方で、好ましくは異なる色で提示される、請求項１２に記載の方法。
【請求項１４】
前記転送ステップ（ＩＶ）が、  前記ロケーション・エンティティ（４０）がランダム値（ｋ）を生成するステップと、  前記ランダム値（ｋ）を前記要求エンティティ（５０）に前記アイデンティティ関連情報（ＩＲＩ）の場合と同じコネクションで送信するステップと、  前記クライアント・アプリケーション（３０）が前記アイデンティティ関連情報（ＩＲＩ）に関するその本人性を前記要求エンティティ（５０）に対して証明できるように、前記ランダム値（ｋ）を前記クライアント・アプリケーション（３０）に送信するステップとを含む、請求項８ないし１１のいずれかに記載の方法。
【請求項１５】
請求項１ないし１４のいずれか１項に記載の方法の各ステップをコンピュータに実行させるためのコンピュータ・プログラム。
【請求項１６】
請求項１５のコンピュータ・プログラムを記録したコンピュータ可読媒体。
【請求項１７】
アイデンティティ関連情報（ＩＲＩ）を提供するためのシステムであって、  前記アイデンティティ関連情報（ＩＲＩ）を保有するロケーション・エンティティ（４０）と、  前記ロケーション・エンティティ（４０）に接続可能なクライアント・アプリケーション（３０）と、  前記アイデンティティ関連情報（ＩＲＩ）を保有する前記ロケーション・エンティティ（４０）に対応するロケーション情報（ＬＩ）を前記クライアント・アプリケーション（３０）に要求するように適合された要求エンティティ（５０）とを含み、前記アイデンティティ関連情報（ＩＲＩ）を前記要求エンティティ（５０）に転送するよう前記ロケーション・エンティティ（４０）に命令するため、前記要求に対する応答に基づき前記クライアント・アプリケーション（３０）が前記ロケーション・エンティティ（４０）にリダイレクトされ、前記ロケーション・エンティティ（４０）が前記要求エンティティ（５０）にコンタクトし、前記要求エンティティ（５０）が前記アイデンティティ関連情報（ＩＲＩ）を要求し、前記要求エンティティ（５０）が前記アイデンティティ関連情報（ＩＲＩ）を前記ロケーション・エンティティ（４０）から受信するシステム。
【請求項１８】
１つのクライアント・アプリケーション（３０）が、複数のロケーション・エンティティ（４０、４２）と対話する、請求項１７に記載のシステム。
【請求項１９】
前記アイデンティティ関連情報（ＩＲＩ）が、別のロケーション・エンティティ（４２）によって提供され、前記ロケーション・エンティティ（４０）を介して前記要求エンティティ（５０）によって取得可能であり、前記別のロケーション・エンティティ（４２）のロケーション情報（ＬＩ）が、前記ロケーション・エンティティ（４０）に保存される、請求項１７に記載のシステム。